(57)【特許請求の範囲】
【請求項１】
打球供給皿に連通する球入口が設けられた基板と発射レールの発射位置に対応する供給口が形成されたカバー板との間に、打球杆の発射動作に同期して上下方向へ回動し、球入口のパチンコ球を１個ずつ供給口から発射レールの発射位置に送り出す球供給部材を設けてなるパチンコ機の打球供給装置において、
前記基板のカバー板と当接する後面側に、球供給部材の回動支軸を軸支する上面が開口した断面コ字形の軸受部を形成し、
前記カバー板には、軸受部の上面開口を閉塞する水平蓋片を設け、
前記断面コ字形の軸受部の深さを前記球供給部材の回動支軸の直径とほぼ等しい寸法としたことを特徴とするパチンコ機の打球供給装置における球供給部材の軸支構造。
【発明の詳細な説明】
【０００１】
【発明の属する技術分野】
本発明は、パチンコ機の前面に設けられた打球供給皿のパチンコ球を打球杆の発射動作に同期させて１個ずつ発射レールの発射位置に供給するパチンコ機の打球供給装置に関し、特にその打球供給装置における球供給部材の軸支構造に関するものである。
【０００２】
【従来の技術】
従来、パチンコ機の打球供給装置として、例えば図１３及び図１４に示すように打球供給皿に連通する球入口１００が設けられた基板１０１と発射レールの発射位置に対応する供給口１０２が形成されたカバー板１０３との間に、打球杆の発射動作に同期して上下方向へ回動し、球入口１００のパチンコ球を１個ずつ供給口１０２から発射レールの発射位置に送り出す球供給部材１０４を設けてなるものが知られている。
【０００３】
このような構成からなる打球供給装置は、カバー板１０３に基板１０１と当接する前面側で開口する半円形凹部１０５，１０５を設け、該半円形凹部１０５，１０５に球供給部材１０４の回動支軸１０６，１０６を嵌めた状態で基板１０１に合体させることにより球供給部材１０４を回動自在に軸支するようにしていた。
【０００４】
【発明が解決しようとする課題】
上記した従来の打球供給装置は、球入口１００から供給口１０２に至る球通路１０７或いは球供給部材１０４に付着したパチンコ球の汚れを拭き取るためカバー板１０３を基板１０１から取外す場合、球供給部材１０４の回動支軸１０６，１０６がカバー板１０３の半円形凹部１０５，１０５から外れて脱落し、球供給部材１０４が破損したり紛失して使用できなくなるという問題があった。
【０００５】
また、カバー板１０３を基板１０１に合体させる際に球供給部材１０４が脱落しないように配慮する必要があってその組立作業が面倒で手間が掛かるという問題も併せ有していた。
【０００６】
本発明は、上記した問題に鑑みてなされたもので、その目的とするところは、カバー板を基板から取外しても球供給部材が脱落しないようにすることによりパチンコ球の汚れの拭き取り作業が容易にできると共に、組立作業の作業能率を向上させることができるようなパチンコ機の打球供給装置における球供給部材の軸支構造を提供することにある。
【０００７】
【課題を解決するための手段】
上記目的を達成するために、本発明は、打球供給皿に連通する球入口が設けられた基板と発射レールの発射位置に対応する供給口が形成されたカバー板との間に、打球杆の発射動作に同期して上下方向へ回動し、球入口のパチンコ球を１個ずつ供給口から発射レールの発射位置に送り出す球供給部材を設けてなるパチンコ機の打球供給装置において、前記基板のカバー板と当接する後面側に、球供給部材の回動支軸を軸支する上面が開口した断面コ字形の軸受部を形成し、前記カバー板には、軸受部の上面開口を閉塞する水平蓋片を設けてなることを特徴としている。
【０００８】
前記軸受部は、球供給部材の回動支軸を載置する棚状の水平受片と該水平受片から上方へ垂直状に立ち上がる突起片によって形成すればよい。
【０００９】
【発明の実施の形態】
次に、本発明の一実施の形態を図面を参照して説明する。図１は本発明の一実施の形態の打球供給装置が適用されるパチンコ機の下部部分の斜視図であって、前面板が開放された状態で示してある。図２は打球供給装置を前面板から取外した状態の斜視図である。図において、１はパチンコ機の前面枠、２は前面枠１の後面に着脱自在に装着された遊技盤であって、その前面に発射レール３が設けられている。４は発射レール３の発射位置５に先端が臨む打球杆、６は発射レール３の前面を覆う前面板であって、遊技盤２の上方部を覆うガラス扉枠７と一緒に前面枠１の一側に開閉自在に装着されている。８は前面板６の前面に装着された打球供給皿、９は打球供給皿８からオーバーフローする余剰球を貯留する下部球受皿、１０は打球発射用の操作ハンドルである。
【００１０】
前記前面板６の裏面側には本発明の一実施の形態の打球供給装置１１が設けられている。この打球供給装置１１は打球供給皿８に貯留されるパチンコ球を前面板６に形成された球通孔１２から一個ずつ発射レール３の発射位置５に供給するためのもので本体１３及び球供給部材１４によって構成されている。
【００１１】
図３に示すように、この打球供給装置１１の本体１３は、前面板６の裏面側に密着される基板１３ａと、発射レール３の側面に位置するカバー板１３ｂとを対向させて合体することにより一体化されるもので、基板１３ａには前面板６の球通孔１２に合致する球入口１５と球供給部材１４が臨む凹窪部１６が設けられており、カバー板１３ｂには球入口１５に連通する垂直状の球通路１７と発射レール３の発射位置５に対応する供給口１８が設けられている。
【００１２】
前記球供給部材１４は、カバー板１３ｂの球通路１７の通路幅とほぼ等しい厚さの立体形とされており、その上端に円弧状の球止部１９が形成され、該球止部１９の下方に半円状の球受凹部２０が形成されている。また、上部両側には回動支軸２１，２１が突設されると共に、一側には重錘を兼ねたローラー２２付きの係合ピン２３が突設されている。
【００１３】
しかして、前記基板１３ａの後面側（カバー板１３ｂと当接する側）であり、かつ凹窪部１６の左右両側に球供給部材１４の軸受部２４，２４が形成されている。この軸受部２４，２４は、球供給部材１４の回動支軸２１，２１を載置する棚状の水平受片２５，２５と該水平受片２５，２５から上方へ垂直状に立ち上がる突起片２６，２６とによって上面が開口した断面コ字形に形成されている。
【００１４】
前記基板１３ａの後面と突起片２６，２６との間の間隔は球供給部材１４の回動支軸２１，２１の直径寸法とほぼ等しい寸法に設定されている。また、水平受片２５，２５の上面と突起片２６，２６の上端との距離は回動支軸２１，２１の直径寸法とほぼ等しい寸法に設定されている。
【００１５】
一方、前記カバー板１３ｂの球通路１７の左右両側に位置する下側端には、カバー板１３ｂを基板１３ａに合体した状態で軸受部２４，２４の上面開口を閉塞する水平蓋片２７，２７をそれぞれ一体形成している。
【００１６】
本発明に係る一実施の形態の打球供給装置１１は次の要領で組立てられる。図４及び図５に示すように、まず球供給部材１４の回動支軸２１，２１を基板１３ａの軸受部２４，２４の上面開口から嵌挿して水平受片２５，２５に載置する。次に、この状態で基板１３の後面側にカバー板１３ｂの前面側を当接して一体化する。これにより、図６に示すようにカバー板１３ｂの水平蓋片２７，２７で基板１３ａの軸受部２４，２４の上面開口が閉塞され、該軸受部２４，２４に球供給部材１４の回動支軸２１，２１が位置されて該球供給部材１４が回動自在に軸支される。なお、上記のように組立てられた打球供給装置１１は前面板６の裏面に密着させてビス止め２８，２８される。
【００１７】
このようにして基板１３ａの軸受部２４，２４に軸支された球供給部材１４は、これの回動支軸２１，２１が突起片２６，２６に受けられて基板１３ａから脱落するのが阻止され、かつカバー板１３ｂの水平蓋片２７，２７によって上下方向の移動も抑制されて円滑な回動が保証される。
【００１８】
このため、打球供給装置１１の球通路１７或いは球供給部材１４の球止部１９や球受凹部２０にパチンコ球の汚れが付着して拭き掃除を必要とする場合に、カバー板１３ｂを基板１３ａから取外しても球供給部材１４が基板１３ａから脱落するようなことがないため、清掃作業を容易に行うことができる。また、清掃後の組立ても球供給部材１４を脱落しないように手で支持しながら行う必要がないため容易となる。
【００１９】
なお、図７に示すようにそれぞれの突起片２６，２６の内側上端に爪状の係止突部３４を設け、該係止突部３４によって軸受部２４の上面開口幅を球供給部材１４の回動支軸２１の直径寸法より僅かに狭くすることによって球供給部材１４の脱落防止をより一層効果的に達成することができる。この実施の形態の場合、軸受部２４の上面開口に球供給部材１４の回動支軸２１，２１を当てがって押し込むようにすればよい。
【００２０】
また、図８および図９に示すように基板１３ａの後面側であり、かつ凹窪部１６の左右両側にカバー板１３ｂの球通路１７の一部を構成する側片３５，３５を一体に形成し、該側片３５，３５の下端と突起片２６，２６の上端との間の間隔を球供給部材１４の回動支軸２１，２１の直径寸法より僅かに狭くすることによっても同じ効果を達成することができる。
【００２１】
上記構成からなる打球供給装置１１は、図１０に示すように遊技盤２の前面側に軸２９で回動自在に軸支された連動レバー３０の押上部３１が球供給部材１４の係合ピン２３のローラー２２に当接され、連動レバー３０の押上部３１の上下動によって球供給部材１４が上下方向に回動するようになっている。前記連動レバー３０は軸２９より下方に垂下するレバー部３２を一体に備えており、このレバー部３２が打球杆４に固着した引掛杆３３と係合可能なように位置されている。また、球供給部材１４は図１１に示すように係合ピン２３によって回動支軸２１を中心として下方（時計廻り方向）に回動付勢されており、球入口１５から球通路１７に流入する先頭のパチンコ球Ｂを球止部１９で受け止めるようになっている。
【００２２】
しかして、打球杆４が図１０鎖線のように打球発射準備位置に回動されると、引掛杆３３，レバー部３２を介して連動レバー３０が軸２９を支点として同図鎖線のように回動し、球供給部材１４を回動支軸２１，２１を支点として図１２実線のように上方（反時計廻り方向）に回動する。このため、球止部１９で受け止められていたパチンコ球Ｂは球受凹部２０に落下して受け止められる。そして、この状態から打球杆４が図１０実線で示す発射動作位置に回動すると球供給部材１４もレバー部３２，３２による押上げから解放されて図１２鎖線で示すように下方（時計廻り方向）に回動し、球受凹部２０のパチンコ球Ｂを供給口１８から発射レール３の発射位置５に供給するもので、その後は打球杆４の往復回動ごとに打球供給皿８のパチンコ球を１個ずつ発射レール３の発射位置５に供給する動作を行う。
【００２３】
【発明の効果】
以上のように、本発明に係るパチンコ機の打球供給装置における球供給部材の軸支構造によれば、基板に球供給部材を軸支するための上面開口の軸受部を設け、基板からカバー板を取外しても球供給部材が脱落しないようにしたものであるから、パチンコ球の汚れが付着した際の拭き掃除が容易にできると共に、組立て作業の作業能率を向上させることができる。
【図面の簡単な説明】
【図１】本発明の一実施の形態の打球供給装置が装着されたパチンコ機の下部部分の斜視図である。
【図２】図１のパチンコ機の前面板から打球供給装置を取外した状態の斜視図である。
【図３】本発明に係る打球供給装置の分解斜視図である。
【図４】基板に球供給部材を軸支した状態の斜視図である。
【図５】基板に球供給部材を軸支した状態を示す要部の側面断面図である。
【図６】基板にカバーを取付けた状態を示す要部の側面断面図である。
【図７】基板に球供給部材を軸支した状態を示す他の実施の形態の要部側面断面図である。
【図８】基板に球供給部材を軸支した状態を示すさらに他の実施の形態の斜視図である。
【図９】図８の実施の形態の要部側面断面図である。
【図１０】打球供給装置の作用を説明する正面断面図である。
【図１１】打球供給装置の作用を説明する側面断面図である。
【図１２】打球供給装置の作用を説明する側面断面図である。
【図１３】従来技術の説明図である。
【図１４】従来技術の説明図である。
【符号の説明】
３        発射レール
４        打球杆
５        発射位置
８        打球供給皿
１１      打球供給装置
１３ａ    基板
１３ｂ    カバー板
１４      球供給部材
１５      球入口
１８      供給口
２４      軸受部
２７      水平蓋片
【図１】
0004291889.tif 000002
【図２】
0004291889.tif 000003
【図３】
0004291889.tif 000004
【図４】
0004291889.tif 000005
【図５】
0004291889.tif 000006
【図６】
0004291889.tif 000007
【図７】
0004291889.tif 000008
【図８】
0004291889.tif 000009
【図９】
0004291889.tif 000010
【図１４】
0004291889.tif 000011
【図１０】
0004291889.tif 000012
【図１１】
0004291889.tif 000013
【図１２】
0004291889.tif 000014
【図１３】
0004291889.tif 000015